(57)【要約】【課題】レンズの焦点位置の調整を容易に行うことができるインターホン機器を提供する。【解決手段】円筒状に形成されたレンズ鏡枠１１の前端際に、周面を面取りして、軸方向で見ると八角形となる把持部１４を設けている。したがって、レンズ５の焦点位置を調整するにあたり、把持部１４をレンチや作業者の指で挟む等した際に滑りにくく、レンズ鏡枠１１を確実に把持することができるため、レンズ５の焦点位置の調整作業を非常に容易に行うことができる。【選択図】図４
2018082397.tif 000002
【特許請求の範囲】
【請求項１】
本体ケースの前面にカメラ窓を開設するとともに、前記カメラ窓からレンズが露出するように、前記レンズを有するカメラを前記本体ケースの内部に設置してなるインターホン機器であって、
前記カメラが、前記レンズと、前記レンズを保持する円筒状のレンズ鏡枠と、前記レンズ鏡枠の後部と螺合して前記レンズ鏡枠を支持するレンズホルダーと、前記レンズホルダーの後側に配置される回路基板とを備えてなり、前記レンズ鏡枠の前記レンズホルダーへの螺合度合いを調整することにより、前記レンズの焦点位置を調整可能となっているとともに、
前記レンズ鏡枠における螺合部よりも前側に、周面を面取りして角筒状とされた把持部が設けられていることを特徴とするインターホン機器。
【請求項２】
本体ケースの前面にカメラ窓を開設するとともに、前記カメラ窓からレンズが露出するように、前記レンズを有するカメラを前記本体ケースの内部に設置してなるインターホン機器であって、
前記カメラが、前記レンズと、前記レンズを保持する円筒状のレンズ鏡枠と、前記レンズ鏡枠の後部と螺合して前記レンズ鏡枠を支持するレンズホルダーと、前記レンズホルダーの後側に配置される回路基板とを備えてなり、前記レンズ鏡枠の前記レンズホルダーへの螺合度合いを調整することにより、前記レンズの焦点位置を調整可能となっているとともに、
前記レンズ鏡枠における螺合部よりも前側の周面にローレット加工が施されていることを特徴とするインターホン機器。
【発明の詳細な説明】
【技術分野】
【０００１】
本発明は、たとえば来訪者等を撮像するための撮像手段を備えたインターホン機器に関するものである。
【背景技術】
【０００２】
従来、インターホン機器の一例であるインターホン子機には、来訪者等を撮像するためのカメラが備えられることがある。そして、そのようなカメラ付きのインターホン子機としては、たとえば特許文献１に開示されているものがあり、レンズを保持するレンズ鏡枠とレンズホルダーとが螺合されてレンズユニットとされ、当該レンズユニットが本体ケース内に設置されていた。また、レンズユニットの設置後、レンズホルダーに対するレンズ鏡枠の螺合度合いを調整することにより、レンズの焦点位置を所望の合焦位置に合わせていた。
【先行技術文献】
【特許文献】
【０００３】
【特許文献１】特開２０１０−９３６４８号公報
【発明の概要】
【発明が解決しようとする課題】
【０００４】
しかしながら、従来のレンズ鏡枠は円筒状に形成されていることが多いため、上記レンズの焦点位置の調整に際して、レンズ鏡枠を把持しづらく、調整作業が煩わしいという問題を抱えていた。
【０００５】
そこで、本発明は、上記問題に鑑みなされたものであって、レンズの焦点位置の調整を容易に行うことができるインターホン機器を提供しようとするものである。
【課題を解決するための手段】
【０００６】
上記目的を達成するために、本発明のうち請求項１に記載の発明は、本体ケースの前面にカメラ窓を開設するとともに、カメラ窓からレンズが露出するように、レンズを有するカメラを本体ケースの内部に設置してなるインターホン機器であって、カメラが、レンズと、レンズを保持する円筒状のレンズ鏡枠と、レンズ鏡枠の後部と螺合してレンズ鏡枠を支持するレンズホルダーと、レンズホルダーの後側に配置される回路基板とを備えてなり、レンズ鏡枠のレンズホルダーへの螺合度合いを調整することにより、レンズの焦点位置を調整可能となっているとともに、レンズ鏡枠における螺合部よりも前側に、周面を面取りして角筒状とされた把持部が設けられていることを特徴とする。
請求項１に記載の発明によれば、レンズ鏡枠における螺合部よりも前側に、周面を面取りして角筒状とされた把持部が設けられているため、レンズの焦点位置を調整するにあたり、把持部をレンチで挟む等した際に滑りにくく、レンズ鏡枠を確実に把持することができる。したがって、焦点位置の調整作業を非常に容易に行うことができる。
【０００７】
また、上記目的を達成するために、本発明のうち請求項２に記載の発明は、本体ケースの前面にカメラ窓を開設するとともに、カメラ窓からレンズが露出するように、レンズを有するカメラを本体ケースの内部に設置してなるインターホン機器であって、カメラが、レンズと、レンズを保持する円筒状のレンズ鏡枠と、レンズ鏡枠の後部と螺合してレンズ鏡枠を支持するレンズホルダーと、レンズホルダーの後側に配置される回路基板とを備えてなり、レンズ鏡枠のレンズホルダーへの螺合度合いを調整することにより、レンズの焦点位置を調整可能となっているとともに、レンズ鏡枠における螺合部よりも前側の周面にローレット加工が施されていることを特徴とする。
請求項２に記載の発明によれば、レンズ鏡枠における螺合部よりも前側の周面にローレット加工が施されているため、レンズの焦点位置を調整するにあたり、当該ローレット加工部分をレンチで挟む等することで滑りにくく、レンズ鏡枠を確実に把持することができる。したがって、焦点位置の調整作業を非常に容易に行うことができる。
【発明の効果】
【０００８】
本発明によれば、レンズ鏡枠における螺合部よりも前側に、周面を面取りして角筒状とされた把持部が設けられていたり（請求項１）、レンズ鏡枠における螺合部よりも前側の周面にローレット加工が施されていたり（請求項２）するため、レンズ鏡枠を確実に把持することができ、焦点位置の調整作業を非常に容易に行うことができる。
【図面の簡単な説明】
【０００９】
【図１】インターホン子機を前面側から示した説明図である。
【図２】インターホン子機の鉛直断面を示した説明図である。
【図３】カメラを示した斜視説明図である。
【図４】レンズ鏡枠を示した説明図であって、（ａ）は前方から示した斜視説明図、（ｂ）は側方から示した説明図である。
【図５】レンズ鏡枠の変更例を示した説明図である。
【発明を実施するための形態】
【００１０】
以下、本発明の一実施形態となるインターホン子機について、図面にもとづき詳細に説明する。
【００１１】
図１は、インターホン子機１を前面側から示した説明図である。図２は、インターホン子機１の鉛直断面を示した説明図である。
インターホン子機１は、前側に配置される前ケース２と、後側に配置される後ケース３とで構成される本体ケースを有しており、この本体ケースの前面上部には、カメラ窓４が開設され、該カメラ窓４内にレンズ５が露出するように、カメラ６（図３に示す）が本体ケース内に設置されている。また、カメラ窓４の右側には、通話のためのマイク部７が設けられている。さらに、本体ケースの前面下部には、来訪者が居住者を呼び出す際に操作する呼出ボタン８と、通話のためのスピーカ部９とが設けられている。そして、このようなインターホン子機１は、住戸の玄関の壁面等に設置されており、来訪者によって呼出ボタン８が操作されると、住戸内に設置されているインターホン親機（図示せず）を呼び出すとともに、カメラ６を作動させて来訪者を撮像する。なお、カメラ６により撮像された映像は、インターホン親機に備えられているモニタに表示される。また、本体ケースには、カメラ６の前方を覆うようにレンズカバー１０が取り付けられる。
【００１２】
ここで、本発明の要部となるカメラ６の構造について、図３、図４をもとに詳細に説明する。
図３は、カメラ６を示した斜視説明図である。図４は、レンズ鏡枠１１を示した説明図であって、（ａ）は前方から示した斜視説明図、（ｂ）は側方から示した説明図である。
【００１３】
カメラ６は、レンズ５、レンズ５を保持するレンズ鏡枠１１、レンズ鏡枠１１を支持するレンズホルダー１２、及び撮像素子（図示せず）等が搭載された回路基板１３とを備えてなる。レンズホルダー１２は、基台となるベース部２１の所定位置に、前方へ突出する円筒部２２が設けられてなる。そして、円筒部２２の内面には雌ねじ部（図示せず）が設けられており、当該円筒部２２がレンズ鏡枠１１を支持する支持部として機能するようになっている。一方、レンズ鏡枠１１は、前後方向へ延びて前後に開口する円筒状に形成されており、内部にレンズ５を収納し、レンズ５の一部を前面から露出させた状態で保持可能となっている。また、レンズ鏡枠１１の前端際（雄ねじ部１５よりも前側）には、周面を面取りして、軸方向で見ると八角形となる把持部１４が設けられている。一方、レンズ鏡枠１１の後部周面には、レンズホルダー１２の雌ねじ部へ螺入可能な雄ねじ部１５が設けられている。なお、レンズ鏡枠１１の前端縁には、径方向で外側へ突出する鍔部１６が開口に沿って周設されている。そして、当該鍔部１６によって把持部１４は隠されて、レンズ鏡枠１１の正面視は円形となり、デザイン性の向上が図られている。
【００１４】
上述の如く構成されるカメラ６を組み立てるに際しては、レンズ５をレンズ鏡枠１１に保持させた後、レンズ鏡枠１１の雄ネジ部１５をレンズホルダー１２の雌ねじ部へねじ込み、レンズ鏡枠１１とレンズホルダー１２とを一体化する。そして、ネジ止め等によりレンズホルダー１２と回路基板１３とを一体化すればよい。また、カメラ６の組み立て後、レンズ５の焦点位置を所望の合焦位置に合わせるためには、レンズ鏡枠１１をレンズホルダー１２に対してねじ込んだり緩めたりして、レンズ鏡枠１１のレンズホルダー１２への螺合度合いを調整することになる。そして、この調整作業を行うに際しては、所謂レンチや作業者の指等で把持部１４を挟んで行えばよい。
【００１５】
以上のような構成を有するインターホン子機１によれば、円筒状に形成されたレンズ鏡枠１１の前端際に、周面を面取りして、軸方向で見ると八角形となる把持部１４を設けている。したがって、レンズ５の焦点位置を調整するにあたり、把持部１４をレンチで挟む等した際に滑りにくく、レンズ鏡枠１１を確実に把持することができるため、焦点位置の調整作業を非常に容易に行うことができる。
また、レンズ鏡枠１１の前端縁に、径方向で外側へ突出する鍔部１６が開口に沿って周設されているため、レンズ鏡枠１１のレンズホルダー１２への螺合度合いの程度に拘わらず、レンズ鏡枠１１の正面視は円形となる。したがって、インターホン子機１のデザイン性の向上を図ることができる。
【００１６】
なお、本発明に係るインターホン機器は、上記実施形態の態様に何ら限定されるものではなく、インターホン機器の全体的な構成は勿論、レンズ鏡枠の構成等について、本発明の趣旨を逸脱しない範囲で、必要に応じて適宜変更することができる。
【００１７】
たとえば、上記実施形態の面取りが施されたレンズ鏡枠に代えて、図５に示すようなレンズ鏡枠を採用することも可能である。図５は、レンズ鏡枠の変更例を示した説明図である。
図５（ａ）に示すレンズ鏡枠３１や図５（ｂ）に示すレンズ鏡枠４１では、その前端際の周面に、ローレット加工（ねじ頭の側面等に、滑り止めを目的として施されるもの）が施されており、当該ローレット加工部分３２、４２が把持部として機能するようになっている。このようなレンズ鏡枠３１、４１を採用したとしても、ローレット加工部分３２、４２をレンチや作業者の指等で把持することで滑りにくく、レンズ鏡枠３１、４１を確実に把持することができる。したがって、上記実施形態のレンズ鏡枠１１を採用した場合と同様に、焦点位置の調整作業を非常に容易に行うことができるという効果を奏することができる。
【００１８】
また、上記実施形態ではインターホン子機について説明しているが、本発明のインターホン機器は、カメラを有してなるインターホン機器であれば、インターホン親機やテレビドアホンシステムの玄関子機等の他のインターホン機器に対しても良好に適用することができる。
【符号の説明】
【００１９】
１・・インターホン子機（インターホン機器）、２・・前ケース（本体ケース）、３・・後ケース（本体ケース）、４・・カメラ窓、５・・レンズ、６・・カメラ、１１、３１、４１・・レンズ鏡枠、１２・・レンズホルダー、１４・・把持部、１５・・雄ねじ部、１６・・鍔部、２１・・ベース部、２２・・円筒部、３２、４２・・ローレット加工部分。
【図１】
2018082397.tif 000003
【図２】
2018082397.tif 000004
【図３】
2018082397.tif 000005
【図４】
2018082397.tif 000006
【図５】
2018082397.tif 000007